(57)【要約】【課題】容易な構成で安全性を高めることのできる階段開口部用手摺枠を提供する。【解決手段】本発明の階段開口部用手摺枠１は、支柱４が立設される仮設足場に用いられ、支柱４間同士に配される腕木材５に仮設足場用階段２が設置されることによって生じる開口部３の周囲に設置されるものであって、その両端につかみ部材１１ａ，１２ａを有し、腕木材５と他の腕木材５とに掛け渡される布地材１１と、布地材１１から上方に延びた支柱材１３〜１５に連結されて布地材１１に平行に設けられた第１及び第２手摺材１６，１８と、第１及び第２手摺材１６，１８によって支持されて仮設足場の妻側に延出された妻側手摺枠２０とを備える。第１及び第２手摺材１６，１８は、一端同士が他の腕木材５の上方位置まで延出されており、妻側手摺枠２０は、一方端が第１及び第２手摺材１６，１８の一端近傍の部位で支持されており、他方端が支柱４のいずれかに取付けられている。【選択図】図１
2014055494.tif 000002
【特許請求の範囲】
【請求項１】
複数の支柱が立設される仮設足場に用いられ、前記いずれかの支柱間同士に配される腕木材に仮設足場用階段が掛止されることによって生じる開口部の周囲に設置される階段開口部用手摺枠であって、
その両端につかみ部材を有し、前記腕木材とそれに対向して配される他の腕木材とに掛け渡される布地材と、
前記布地材から上方に延びた複数の支柱材に連結されて前記布地材に対して平行に設けられた複数の手摺材と、
前記複数の手摺材によって支持されて前記仮設足場の妻側に延出された妻側手摺枠とを備え、
前記複数の手摺材は、
それらの一端同士が前記他の腕木材の上方位置まで延出されており、
前記妻側手摺枠は、
その一方端が前記複数の手摺材の一端近傍の部位で支持されており、
その他方端が前記支柱のいずれかに取付けられていることを特徴とする、階段開口部用手摺枠。
【請求項２】
前記妻側手摺枠は、
水平方向に延びた妻側手摺材を少なくとも有し、
前記妻側手摺材の基端は、前記いずれかの手摺材の一端近傍の部位で回動自在に支持されており、
前記妻側手摺材の至端には、進退自在なスライド部材が設けられており、
前記スライド部材の先端には、前記支柱に取付けるための略Ｕ字状の把持部材が設けられている、請求項１に記載の階段開口部用手摺枠。
【請求項３】
前記把持部材は、
前記支柱に対して上下方向に変位自在とされている、請求項２に記載の階段開口部用手摺枠。
【発明の詳細な説明】
【技術分野】
【０００１】  本発明は、例えば建築現場等で組み立てられる仮設足場に用いられ、仮設足場用階段によって生じる開口部の周囲に設置される階段開口部用手摺枠に関する。
【背景技術】
【０００２】  従来、マンション等の増改築や改修工事（塗装、タイル貼り、防水補修又はひび補修等）が実施される建築現場においては、建築物の周囲に現場作業者が高所作業を行うための仮設足場が組み立てられる。仮設足場では、図１１に示すように、水平方向に配された腕木材４０に床付き布枠４１が掛止されることにより複数の層が組み立てられ、さらに現場作業者が異なる層に移動するための仮設足場用階段４２が設置される。【０００３】  仮設足場では、仮設足場用階段４２が設置されると、その設置された層において開口部４３が生じる。そのため、現場作業者はその層を歩行する際、開口部４３から下方へ落下するおそれがある。したがって、開口部４３の周囲には、通常、階段開口部用の手摺枠４４が設置される。【０００４】  階段開口部用手摺枠４４は、両端につかみ金具が設けられた布地材４５を有し、布地材４５に複数の支柱材４６を介して２本の手摺材４７が水平方向に並設されている。そして、一方端の支柱材４６には、現場作業者が開口部４３の妻側から落下するのを防止するための妻側手摺枠４８が支持されている。【０００５】  図１１は仮設足場のうち枠組足場を示す図であり、枠組足場においては鳥居型の建枠４９が設置される。建枠４９には、腕木方向に沿って補鋼材５０が形成されているため、階段開口部用手摺枠４４が設置されると、妻側手摺枠４８が通路を塞ぐようになる。そのため、図１１及び図１２に示すように、妻側手摺枠４８を平面視で斜めに取付ける必要がある（なお、図１２では、床付き布枠４１及び仮設足場用階段４２を省略している。）。【０００６】  しかしながら、妻側手摺枠４８が斜めに取付けられると、妻側手摺枠４８の下方に平面視で略三角形状の開口部５１（図１２参照）が生じることになり、現場作業員が歩行する上で、安全上好ましくないといった問題点があった。
【発明の概要】
【発明が解決しようとする課題】
【０００７】  一方、近年では、図１３に示すように、仮設足場の各部材を連結する場合にくさび部材が用いられたくさび緊結式足場が知られている（例えば特許文献１参照）。【０００８】  くさび緊結式足場では、枠組足場の建枠４９に代えて、複数のポケット体５２が形成された支柱５３が立設される。くさび緊結式足場においても仮設足場用階段４２が設置されると、開口部４３が生じ、この開口部４３の周囲に階段開口部用手摺枠５４が設置される。くさび緊結式足場では、枠組足場のように建枠４９の補鋼材５０が設けられていないため、妻側手摺枠５５を補鋼材５０と干渉することなく取付けることができる。【０００９】  この場合、階段開口部用手摺枠５４では、上記した略三角形状の開口部５１（図１２参照）をなくすために、妻側手摺枠５５をくさび緊結式足場の腕木材５６の上方に位置するようにすればよい。【００１０】  しかしながら、階段開口部用手摺枠５４では、布地材４５のつかみ金具５７がくさび緊結式足場の腕木材５６に掛止される。また、妻側手摺枠５５は、一方端の支柱材４６に支持され、支柱材４６は、布地材４５の中央寄りの位置から上方に延びるように構成されている。【００１１】  そのため、妻側手摺枠５５を支柱５３に取付けると、図１３及び図１４（なお、図１４では、床付き布枠４１及び仮設足場用階段４２を省略している。）に示すように、枠組足場の場合と同様に、妻側手摺枠５５が斜めに取付けられることになる。よって、くさび緊結式足場でも、妻側手摺枠５５の下方に平面視で略三角形状の開口部５８がなお生じることになり、現場作業員が歩行する上で、安全上好ましくないといった問題点があった。【００１２】
【先行技術文献】
【特許文献】
【００１３】
【特許文献１】特開２００６−２９１４７３号公報
【００１４】  本発明は、上記した事情のもとで考え出されたものであって、容易な構成で安全性を高めることのできる階段開口部用手摺枠を提供することを、その課題とする。
【課題を解決するための手段】
【００１５】  本発明によって提供される階段開口部用手摺枠は、複数の支柱が立設される仮設足場に用いられ、前記いずれかの支柱間同士に配される腕木材に仮設足場用階段が掛止されることによって生じる開口部の周囲に設置される階段開口部用手摺枠であって、その両端につかみ部材を有し、前記腕木材とそれに対向して配される他の腕木材とに掛け渡される布地材と、前記布地材から上方に延びた複数の支柱材に連結されて前記布地材に対して平行に設けられた複数の手摺材と、前記複数の手摺材によって支持されて前記仮設足場の妻側に延出された妻側手摺枠とを備え、前記複数の手摺材は、それらの一端同士が前記他の腕木材の上方位置まで延出されており、前記妻側手摺枠は、その一方端が前記複数の手摺材の一端近傍の部位で支持されており、その他方端が前記支柱のいずれかに取付けられていることを特徴としている。
【００１６】  本発明の階段開口部用手摺枠において、前記妻側手摺枠は、水平方向に延びた妻側手摺材を少なくとも有し、前記妻側手摺材の基端は、前記いずれかの手摺材の一端近傍の部位で回動自在に支持されており、前記妻側手摺材の至端には、進退自在なスライド部材が設けられており、前記スライド部材の先端には、前記支柱に取付けるための略Ｕ字状の把持部材が設けられているとよい。
【００１７】  本発明の階段開口部用手摺枠において、前記把持部材は、前記支柱に対して上下方向に変位自在とされているとよい。
【発明の効果】
【００１８】  本発明の階段開口部用手摺枠によると、妻側手摺枠は、一端同士が腕木材の上方位置まで延出されている複数の手摺材に支持され、かつ一方端が複数の手摺材の一端近傍の部位で支持されており、他方端が支柱に取付けられている。そのため、妻側手摺枠は、腕木材の上方でそれに平行に配置することができるので、従来の構成のように、妻側手摺枠が斜めに取付けられることにより平面視で略三角形状の開口部が生じることをなくすことができ、安全性の高い階段開口部用手摺枠を提供することができる。
【図面の簡単な説明】
【００１９】
【図１】本発明に係る階段開口部用手摺枠を示す斜視図である。
【図２】図１に示す階段開口部用手摺枠の正面図である。
【図３】図１に示す階段開口部用手摺枠の側面図である。
【図４】図１に示す階段開口部用手摺枠とくさび式緊結足場との位置関係を示す平面図である。
【図５】階段開口部用手摺枠の妻側手摺枠を折り畳んだ状態を示す正面図である。
【図６】階段開口部用手摺枠の妻側手摺枠を折り畳んだ状態を示す平面図である。
【図７】階段開口部用手摺枠の変形例を示す図である。
【図８】階段開口部用手摺枠の他の変形例を示す図である。
【図９】階段開口部用手摺枠の他の変形例を示す図である。
【図１０】階段開口部用手摺枠の他の変形例を示す図である。
【図１１】枠組足場に従来の階段開口部用手摺枠が設置された場合の斜視図である。
【図１２】図１１に示す階段開口部用手摺枠と枠組足場との位置関係を示す平面図である。
【図１３】くさび式緊結足場に従来の階段開口部用手摺枠が設置された場合の斜視図である。
【図１４】図１３に示す階段開口部用手摺枠とくさび式緊結足場との位置関係を示す平面図である。
【発明を実施するための形態】
【００２０】  以下、本発明の実施の形態につき、図面を参照して具体的に説明する。
【００２１】  図１は、本発明に係る階段開口部用手摺枠を示す斜視図であり、仮設足場に設置される場合の一例を示すものである。図２は、図１に示す階段開口部用手摺枠の正面図であり、図３は、同じく右側面図であり、図４は、同じく平面図である。
【００２２】  本実施形態に係る階段開口部用手摺枠１（以下、単に「手摺枠１」という。）は、例えば建築現場等の仮設足場に用いられ、仮設足場用階段２（以下、単に「階段２」という。）が設置されることによって生じる開口部３から現場作業者が落下することを防止するためのものである。階段２は、現場作業者が仮設足場の上層と下層との間を昇降するために用いられるものである。
【００２３】  手摺枠１は、本実施形態においては仮設足場のうちくさび緊結式仮設足場において用いられる。くさび緊結式仮設足場は、図１に示すように、複数の支柱４とそれらに取付られる複数の腕木材５や布地材６とを備え、水平方向に並設される腕木材５同士間に例えば床付き布枠７が設置される。現場作業者は、この床付き布枠７上を歩行して仮設足場内を移動することができる。
【００２４】  くさび緊結式足場における各支柱４には、上下方向に所定間隔を隔てて複数のポケット体８が形成されている。上記腕木材５や布地材６等は、それらの両端に形成されるくさび部材（図略）が各ポケット体８に楔着されることにより、支柱４に取付けられる。なお、ポケット体８は、図１に示すように、２つの上部ポケット体８ａと、その高さ分だけ下げられた位置に取付けられた２つの下部ポケット体８ｂとからなる。
【００２５】  階段２は、例えば地面と仮設足場の二層目との間に配置される。あるいは、階段２は、例えば二、三層目の間といったように連続する層同士間に配置される。階段２は、複数の踏板部材９と、これらの踏板部材９を左右から支持するための一対の支持部材１０とによって概略構成される。複数の踏板部材９は、その踏面が略水平方向に沿うようにして等間隔に並列配置されている。一対の支持部材１０の両端には、つかみ金具１０ａがそれぞれ連結されている。
【００２６】  手摺枠１は、開口部３の周囲に設置され、長尺状の布地材１１を有している。布地材１１の一端側は、伸縮自在とされており、すなわち布地材１１の一端には、図２に示すように、布地材１１に対して進退自在とされたスライド布地材１２が嵌合されている。スライド布地材１２が進退されることにより（図２の矢印Ａ参照）、手摺枠１を、長手方向に平行に並設される腕木材５同士の間隔に合わせて配することができる。また、スライド布地材１２の先端には、つかみ金具１２ａが設けられている一方、布地材１１の他端には、つかみ金具１１ａが設けられている。
【００２７】  布地材１１には、第１ないし第３支柱材１３〜１５が上下方向に延びて連結されている。第１支柱材１３は、布地材１１の一端近傍であってスライド布地材１２側（階段２の昇り口側）に連結されている。第２支柱材１４は、第１支柱材１３に比べて約半分の長さとされ、布地材１１の中央に連結されている。第３支柱材１５は、第２支柱材１４と同様に、第１支柱材１３に比べて約半分の長さとされ、布地材１１の他端近傍であってつかみ金具１１ａ側に連結されている。
【００２８】  第２及び第３支柱材１４，１５の両上端には、水平方向にかつ布地材１１と平行に配された第１手摺材１６が連結されている。第１手摺材１６の一端は、第１支柱材１３の中央部側面に連結されている。第１手摺材１６の他端は、第３支柱材１５の連結部分より外側に延出されている。なお、第２支柱材１４は、布地材１１と第１手摺材１６との間を連結する補間材として機能する。
【００２９】  第１手摺材１６の中央上面には、第４支柱材１７が上下方向に延びて連結されている。第４支柱材１７は、第２及び第３支柱材１４，１５とほぼ同じ長さとされている。第４支柱材１７の上端には、水平方向にかつ第１手摺材１６と平行に配された第２手摺材１８が連結されている。第２手摺材１８の一端は、第１支柱材１３の上端部近傍側面に連結されている。なお、第４支柱材１７は、第１手摺材１６と第２手摺材１８との間を連結する補強材として機能する。
【００３０】  ここで、第１手摺材１６及び第２手摺材１８は、ほぼ同じ長さとされ、図２に示すように、平面視で布地材１１のつかみ金具１１ａの内周部（つかみ部分）付近まで延びた長さとされている。
【００３１】  第１及び第２手摺材１６，１８の間であって第３支柱材１５側の端部には、図１及び図３に示すように、妻側手摺枠２０が支持されている。妻側手摺枠２０は、開口部３の短手方向の端部側から現場作業者が落下するのを防止するためのものである。
【００３２】  妻側手摺枠２０は、第２手摺材１８の一端近傍から水平方向に延びた第３手摺材２１と、第１手摺材１６の一端近傍から略Ｌ字状に延びた第４手摺材２２とを有している。第４手摺材２２は、途中で湾曲されて形成され、その先端が第３手摺材２１の先端下表面に連結されている。また、第３及び第４手摺材２１，２２は、それらの基端側近傍において上下方向に延びた第５支柱材２３を介して連結されている。
【００３３】  第３手摺材２１は、その一端上表面が第２手摺材１８の一端下表面に当接している。また、第４手摺材２２は、その一端下表面が第１手摺材１６の一端上表面に当接している。すなわち、妻側手摺枠２０は、第１及び第２手摺材１６，１８の間の内側部分に配されて設けられている。そして、第３及び第４手摺材２１，２２は、第１及び第２手摺材１６，１８の一端近傍の回動軸Ｂ（図１及び図４参照）を中心にして回動自在とされている（図４の矢印Ｃ参照）。
【００３４】  第３手摺材２１の先端側は伸縮自在とされており、すなわち第３手摺材２１の先端には、これに対して進退自在とされたスライド手摺材２４が嵌合されている。このスライド手摺材２４が進退されることにより（図３の矢印Ｄ参照）、妻側手摺枠２０は、短手方向に並んで並設される支柱４同士の間隔に合わせて配される。
【００３５】  スライド手摺材２４の先端には、図４に示すように、支柱４に取付けるための取付部材２５が設けられ、取付部材２５には、断面視で略Ｕ字状の把持部材２６が設けられている。把持部材２６は、妻側手摺枠２０を支柱４に固定させるためのものであり、支柱４に把持された後に抜脱することを防止するためのねじ部材２７を備えている。
【００３６】  本実施形態の手摺枠１によれば、妻側手摺枠２０は、第１及び第２手摺材１６，１８の端部において回動自在に支持されている。この場合、その回動軸Ｂは、図４に示すように、例えば第３支柱材１５の軸上に位置するのではなく、第１及び第２手摺材１６，１８の他端近傍であって第３支柱材１５の立設部分より外側に位置している。
【００３７】  よって、妻側手摺枠２０は、腕木材５の上方でそれに平行に配置することができるので、図１１ないし図１４で示した従来の構成のように、平面視で略三角形状の開口部５１，５８を生じさせることがなく、現場作業者が開口部３に脚を踏み入れる可能性を極力なくすことができる。そのため、安全性の高い手摺枠１を提供することができる。
【００３８】  また、妻側手摺枠２０は、第１及び第２手摺材１６，１８に対して回動自在とされているため、手摺枠１を梱包したり搬送したりするときには、図５及び図６に示すように、妻側手摺枠２０を第１及び第２手摺材１６，１８側に折り畳むようにすれば、手摺枠１を平面視で略直線状にすることができる。したがって、複数の手摺枠１を梱包、搬送する場合、複数の手摺枠１を小スペースで積み重ねることができ、梱包時のスペースの小型化を図ることができる。
【００３９】  図７は、上記妻側手摺枠の変形例を示す図である。図７に示すように、変形例としての妻側手摺枠２０Ａは、支柱４に把持するための把持部材２６が２つ設けられている。すなわち、第４手摺材２２Ａが略直線状に形成され、その先端にスライド手摺材２４Ａが第４手摺材２２Ａに対して進退自在に嵌合され、スライド手摺材２４Ａの先端に取付部材２５及び把持部材２６が設けられている。この場合、第３手摺材２１及び第４手摺材２２Ａの間には、第６支柱材２８が連結されている。また、スライド手摺材２４，２４Ａの間には、第７支柱材２９が連結されている。
【００４０】  この妻側手摺枠２０Ａによれば、図３に示した妻側手摺枠２０に比べ、スライド手摺材２４Ａによって妻側手摺枠２０Ａにおける妻側平面をさらに遮ることができるので、現場作業者の開口部３からの落下の可能性をより少なくすることができる。また、把持部材２６が２つ設けられているので、妻側手摺枠２０Ａを支柱４に強固に取付けることができる。
【００４１】  図８は、上記妻側手摺枠の変形例を示す図である。図８に示すように、第７支柱材２９の中央に取付部材２５及び把持部材２６が設けられていてもよい。この変形例の妻側手摺枠２０Ｂによれば、図７に示す妻側手摺枠２０Ａに比べ部品点数を少なくすることができるので、部品コストの低減化を図ることができる。
【００４２】  図９は、上記妻側手摺枠の他の変形例を示す図である。この変形例としての妻側手摺枠２０Ｃは、支柱４Ａに対するポケット体８の配置位置に対応したものとされている。すなわち、支柱４Ａは、上下方向に配置されるポケット体８同士の間隔が上記した実施形態の支柱４と異なるものであり、図３に示す妻側手摺枠２０を用いると、把持部材２６がポケット体８と干渉してしまうことがある。そのため、この変形例としての妻側手摺枠２０Ｃでは、把持部材２６の支柱４に対する取付位置が変更可能な構成とされている。
【００４３】  すなわち、この妻側手摺枠２０Ｃは、取付部材２５及び把持部材２６が変位自在とされている。より具体的には、スライド手摺材２４の先端にボルト部材３０及びそれに取付けられた支持部材３１が回動自在に嵌合されている。そして、支持部材３１に取付部材２５及び把持部材２６が設けられている。
【００４４】  上記構成によれば、把持部材２６とポケット体８とが干渉する場合には、図１０に示すように、ボルト部材３０及び支持部材３１を回動軸Ｅを中心にして回動させて把持部材２６を下側に変位させる。このようにすれば、ポケット体８同士の取付間隔が異なる支柱４Ａが用いられたとしても、把持部材２６をポケット対８と干渉することを回避することができる。
【００４５】  なお、上記構成では、ボルト部材３０及び支持部材３１を回動させて把持部材２６を支柱４に対して変位自在とされたが、支持部材３１は、スライド手摺材２４の先端において上下方向にスライドすることにより、支柱４に対して変位自在とされてもよい。また、上記のように取付部材２５及び把持部材２６が変位自在とされ、ポケット体８との干渉を回避可能な構成は、上述の図７に示した妻側手摺枠２０Ａに適用するようにしてもよい。あるいは、図８に示した妻側手摺枠２０Ｂに適用するようにしてもよい。
【００４６】  なお、本発明の範囲は上述した実施の形態に限定されるものではなく、発明の範囲を逸脱しない範囲で種々の変更を行うことができる。例えば上記実施形態では、各妻側手摺枠は２段の手摺材を含んでいたが、これに代えて３段以上の手摺材を含んでいてもよい。また、妻側手摺枠の手摺材は、上記実施形態では、第１及び第２手摺材１６，１８の内側に支持されていたが、これに代えて、第１及び第２手摺材１６，１８の外側で支持されていてもよい。また、上記各手摺材、各支柱材、スライド手摺材、取付部材及び把持部材等は上記した実施形態の形状、大きさ、数量及び位置関係等に限るものではない。
【符号の説明】
【００４７】  １    階段開口部用手摺枠
２    仮設足場用階段
３    開口部
４    支柱
５    腕木材
１１    布地材
１２    スライド布地材
１３    第１支柱材
１４    第２支柱材
１５    第３支柱材
１６    第１手摺材
１７    第４支柱材
１８    第２手摺材
２０    妻側手摺枠
２１    第３手摺材
２２    第４手摺材
２３    第５支柱材
２４    スライド手摺材
２５    取付部材
２６    把持部材
【図１】
2014055494.tif 000003
【図２】
2014055494.tif 000004
【図３】
2014055494.tif 000005
【図４】
2014055494.tif 000006
【図５】
2014055494.tif 000007
【図６】
2014055494.tif 000008
【図７】
2014055494.tif 000009
【図８】
2014055494.tif 000010
【図９】
2014055494.tif 000011
【図１０】
2014055494.tif 000012
【図１１】
2014055494.tif 000013
【図１２】
2014055494.tif 000014
【図１３】
2014055494.tif 000015
【図１４】
2014055494.tif 000016